(57)【要約】【課題】ショーツ着用時の外ポケットと、ショーツ収納時の内ポケットの形状や大きさを自由に設計できると共に、肌当たりや着用感にも優れた下着を提供する。【解決手段】ポケット１１が、ショーツ本体１の表面又は裏面に接着される外側パネル１２を開口して形成される外ポケット１３と、外ポケット１３内で外側パネル１２の内面又はショーツ本体１の表面若しくは裏面に接着される内側パネル１４を開口して形成される内ポケット１６とから構成され、外ポケット１３を反転させてショーツ本体１を収容した後、内ポケット１６を反転させて外ポケット１３に収容されたショーツ本体１を被覆することを特徴とする。【選択図】図１
2016156102.tif 000002
【特許請求の範囲】
【請求項１】
ポケットを有する下着であって、
前記ポケットが、下着本体の表面又は裏面に接着される外側パネルを開口して形成される外ポケットと、
前記外ポケット内で外側パネルの内面又は下着本体の表面若しくは裏面に接着される内側パネルを開口して形成される内ポケットとから構成され、
前記外ポケットを反転させて下着本体を収容した後、内ポケットを反転させて外ポケットに収容された下着本体を被覆する
ことを特徴とする下着。
【請求項２】
前記外側パネルを上方へ向けて開口して外ポケットが形成され、
前記内側パネルを下方へ向けて開口して内ポケットが形成されている
ことを特徴とする請求項１に記載の下着。
【請求項３】
前記内側パネルは、ツーウェイ生地からなる
ことを特徴とする請求項１または２に記載の下着。
【請求項４】
前記下着本体は、ツーウェイ生地からなる
ことを特徴とする請求項１〜３のいずれか１項に記載の下着。
【請求項５】
前記ツーウェイ生地が経緯方向ともに８０％以上伸長し、８０％伸長後の回復率が８６％以上の生地である
ことを特徴とする請求項３または４に記載の下着。
【請求項６】
前記外側パネルは、下着本体の正面中央部又は／及び背面中央部に接着されている
ことを特徴とする請求項１〜５のいずれか１項に記載の下着。
【請求項７】
前記外側パネルの伸長度は、下着本体の伸長度の同等以下である
ことを特徴とする請求項１〜６のいずれか１項に記載の下着。
【発明の詳細な説明】
【技術分野】
【０００１】
本発明は、ポケットを有するショーツ、ガードル、ブリーフなどの下着に関するものである。
【背景技術】
【０００２】
ショーツ、ガードル、ブリーフなどの下着にポケット部を設け、携帯品を収納できるようにするほか、下着そのものを小さく折り畳んでポケットへ収納可能にすることについて種々の提案がなされている。
【０００３】
例えば、特許文献１では、紙幣を入れるためのポケットを腹部や太腿部に設けるポケット付き下着が開示されている。また、特許文献２では、腹部に設けたポケットにショーツを収納可能にした収納ポケット付きショーツが開示されている。この他、ショーツの前面上部につけたリボンでショーツ収納時に開口部を閉じるようにしたポケット付きショーツ（例えば、特許文献３参照。）や、ポケット部に蓋を付けショーツ収納後に蓋ができるバックパンティ（例えば、特許文献４参照。）などが提案されている。
【先行技術文献】
【特許文献】
【０００４】
【特許文献１】実開昭６２−３７００４号公報
【特許文献２】実開昭６１−３０００６号公報
【特許文献３】特開２０００−２８２３０１号公報
【特許文献４】実開昭５２−１４８２１６号公報
【発明の概要】
【発明が解決しようとする課題】
【０００５】
しかしながら、従来のポケット付きショーツの場合、ショーツを着用した時のポケットの大きさや形状と、ショーツそのものを収納した時のポケットの大きさや形状が同じであり、ショーツ着用時のポケットの大きさ・形状、もしくは、ショーツ収納時の大きさ・形状のどちらかを優先する必要がある。そのため、収納時の見栄えや大きさを優先させる場合には、ショーツ着用時のポケットが小さくなり、収納できる携帯品が限られてしまい、逆に着用時のポケットの大きさを優先させると、ショーツ収納時に大きくなって見栄えが悪くなるという問題がある。
【０００６】
上記特許文献１のポケット付き下着では、紙幣が入るほどポケットを大きくすると、下着収納時においても紙幣の入る大きさのままであり、小さくならず不体裁となり、逆に下着を収納した時に小さくなるようにポケットを設計すると、紙幣を折り曲げなければ入らず、厚みが出て着用感を損なうことになるという問題がある。
【０００７】
また、特許文献２のショーツでは、腹部に設けたポケットの部分を裏返しながらショーツを入れていくことによりポケットにショーツを収納することになるが、特許文献１と同じように、着用時のポケットの大きさと、収納時のポケットの大きさは変わらず、さらに、ショーツ収納時の開口部に蓋がないので、体裁があまりよくないという問題がある。
【０００８】
特許文献３および４の例は、このような蓋がなくて体裁の悪い問題を解決することができるものの、特許文献３のポケット付きのショーツでは、リボンのモチーフを使用するため、ポケットの位置が限られてしまい設計の自由度が低くなってしまう。また、特許文献４のバックパンティでは、着用時のポケット形状か、収納時のポケット形状のどちらかを優先させる必要があり、やはり設計の自由度が乏しいという問題がある。
【０００９】
さらに、これら従来のポケット付きショーツでは、それぞれのポケットが縫製によりショーツ本体に取り付けられており、縫着部が硬くなったり凹凸になったりして、肌当たりや着用感が悪くなるといった問題点がある。
【００１０】
そこで、本発明は、上記のような問題点に鑑み開発されたもので、着用時と収納時のポケットの形状・大きさを自由に設計でき、着用時のポケットのデザイン・大きさと、収納時の内ポケットのデザイン・大きさの組み合わせのバリエーションを広げて雅趣に富んだポケット付きの下着を提供することを目的とする。また、これと同時に肌当たりや着用感にも優れたポケット付きの下着を提供することをも目的とする。
【課題を解決するための手段】
【００１１】
上記の課題を解決し、その目的を達成するために、本発明に係る下着は、ポケットを有する下着であって、前記ポケットが、下着本体の表面又は裏面に接着される外側パネルを開口して形成される外ポケットと、前記外ポケット内で外側パネルの内面又は下着本体の表面若しくは裏面に接着される内側パネルを開口して形成される内ポケットとから構成され、前記外ポケットを反転させて下着本体を収容した後、内ポケットを反転させて外ポケットに収容された下着本体を被覆することを特徴とする。
【００１２】
これによれば、外ポケットを形成する外側パネルの内面に収納時の形状や大きさを決める内側パネルが接着されているので、着用時と収納時のポケットの形状・大きさを自由に設計でき、組み合わせのバリエーションを広げ雅趣に富んだポケット付きの下着を実現することができる。また、本体と外側パネルと内側パネルとが接着されているので、縫着部が硬くなったり凹凸になったりすることがなく、肌当たりや着用感も優れたものとなる。さらに、下着本体を外ポケットに収容した後、内側パネルを反転させて外ポケットに収容された下着本体を被覆するので、収納後は小さくするだけでなく下着の形状を全く残さないこともできるので、旅行等で携帯する時も便利であり、他人の目に触れる時の心理的な抵抗も和らげることができる。またさらには、外側パネルと内側パネルとが二重になって、その部分の伸びが抑えられるので、その位置を腹部にすれば、腹部の膨出を抑えて腹部のラインを美しく補整してスマートな体型に造形することも可能である。
【００１３】
ここで、前記外側パネルを上方へ向けて開口して外ポケットが形成され、前記内側パネルを下方へ向けて開口して内ポケットが形成されているのが好ましい。
【００１４】
これによれば、着用時に外ポケットを紙幣や使い捨てカイロ等の携帯品入れとして機能させることができる。
【００１５】
また、前記内側パネルは、ツーウェイ生地を用いるのが好ましい。
【００１６】
これによって、収納後の下着を小さくコンパクトにすることができるので、携帯性を良くすることができる。
【００１７】
さらに、前記下着本体は、ツーウェイ生地を用いるのが好ましい。
【００１８】
これによって、着用時の伸縮バランスが均一になるので着心地をよくすることができる。
【００１９】
そして、前記ツーウェイ生地が経緯方向ともに８０％以上伸長し、８０％伸長後の回復率が８６％以上の生地を用いるのが好ましい。
【００２０】
これによって、収納時のサイズをより小さく保つことができ、また、収納状態を解除して着用する時に皺が残ることなく、良好な着用感を得ることができる。また、下着を着用した時に経緯方向に伸縮して身体にぴったりとフィットして着用感をさらに良好にすることができる。
【００２１】
ここで、前記外側パネルは、下着本体の正面中央部又は／及び背面中央部に接着されているとしてもよい。
【００２２】
これによって、腹部当て布になり、腹部の膨出を抑えて補整することができる。
【００２３】
また、前記外側パネルの伸長度は、下着本体の伸長度の同等以下であるのが好ましい。
【００２４】
これによって、腹部を抑えつけて腹部のラインを美しく補整してスマートな体型に造形できる。
【発明の効果】
【００２５】
以上、説明したように、本発明の下着は、外ポケットを構成する外側パネルの内面に内側パネルを配置しているので、着用時の形状や大きさは外側パネルで自由に設計し、収納時の形状や大きさは内側パネルで自由に設計することができる。また、下着本体と外側パネルと内側パネルとを接着させて縫着部をなくしているので、肌当たりや着用感にも優れており、下着本体を小さくする際にも硬い縫着部で阻害されることなくポケットに収納することができる。
【図面の簡単な説明】
【００２６】
【図１】本発明の第１実施形態のショーツの正面図である。
【図２】内側パネルと外側パネルの貼り合わせを示す斜視図である。
【図３】外側パネルの正面図である。
【図４】内側パネルの正面図である。
【図５】ポケットの拡大縦断面図である。
【図６】ショーツの状態から収納状態までの手順を示す説明図である。
【図７】本発明の第２実施形態のショーツの背面図である。
【図８】外側パネルの正面図である。
【図９】内側パネルの正面図である。
【図１０】別のショーツの正面図である。
【図１１】ショーツが収納された状態を示す正面図である。
【図１２】ショーツが収納された状態を示す背面図である。
【図１３】別のショーツの背面図である。
【発明を実施するための形態】
【００２７】
以下、本発明の実施の形態について図面を参照しながら説明する。
【００２８】
まず、本発明の第１実施形態を図１〜図６に基づいて説明する。
【００２９】
第１実施形態に係る下着は、ショーツ本体１と、ショーツ本体１の表面側に接着で取り付けられるポケット１１とから構成されている。
【００３０】
ショーツ本体１の生地は、ポリウレタン、ナイロン、ポリエステルなどの合成繊維糸で編成されたトリコット、パワーネット、サテンネットなどの伸縮性を有する経編地で編成されている。
【００３１】
ショーツ本体１は、下腹部を覆う前身頃２と、臀部を覆う後身頃３と、前身頃２、後身頃３および股部４が連なった１枚の経編地から形成されており、前身頃２の両側縁２ａ，２ａと後身頃３の両側縁３ａ，３ａとが接着されている。
【００３２】
ポケット１１は、外側パネル１２を接着して形成される外ポケット１３と、外側パネル１２の内面に内側パネル１４を接着して形成される内ポケット１６とからなっている。
【００３３】
すなわち、外側パネル１２は、全体の形状が略五角形状で両側縁が凸凹に形成されショーツ本体１の前面中央部５に接着されている。この外側パネル１２は上端縁１２ａを除いて両側縁１２ｂ,１２ｂが接着され、上部が開口されて外ポケット１３を形成している。
【００３４】
外側パネル１２のショーツ本体１への接着は、伸長性と回復性の良い接着テープを使用するか、接着樹脂を所定の間隔で塗布することによりなされている。ここで伸長性と回復性が良いとは、後述の内ポケット１６を形成する内側パネル１４と同じく、１．５ｋｇ荷重時に８０％以上の伸度を持ち、８０％の伸長後に除荷した時の回復率が８６％以上であることをいい、好ましくは、ショーツ本体１の生地に近い伸長性と回復率を持っていることをいう。
【００３５】
接着シートを使用せず、接着樹脂を用いる場合は、伸び代を確保するため所定の間隔をあけて塗布して接着するのが好ましい。間隔をあけて塗布することにより、接着剤の伸長性が低くても、生地の伸長性を利用することができ、着用時の外ポケット１３および内ポケット１６の突っ張り感を最小限に抑えることができる。接着剤を塗布する間隔は、塗布率にして３０％〜７０％にするのが望ましい。３０％以下になると、接着強度が確保しづらく、７０％以上である場合は、生地の伸び代が少なくなり、伸びを妨げてしまうからである。
【００３６】
内側パネル１４は、ハート形状の下端を切除して開口部１５としてあり、その内面が内ポケット１６となり、両側端部１４ａ，１４ａを外側パネル１２の先端近傍部の両側部１２ｃ，１２ｃに合わせて一体化している。
【００３７】
内側パネル１４の生地は、収納後に全体を小さくするために、ツーウェイ生地を用い、その伸びは経緯とも１．５ｋｇ荷重時に８０％以上とすることが望ましい。経緯どちらか、または両方の伸長が８０％未満であっても可能であるが、収納時のサイズが制限されることになる。また、８０％の伸長後に除荷した時の回復率が８６％以上であることが望ましい。回復率が８６％を下回ると着用時にポケットに皺が残り不快感を与えるおそれがあるからである。
【００３８】
伸長性の確認は、ＪＩＳ Ｌ １０９６ 引っ張り強さおよび伸び率Ａ法を使用し、試験片幅は２５ｍｍとし、１．５ｋｇまで荷重をかけた時の伸び率を計測する。回復率の測定には、ＪＩＳ Ｌ １０９６ 伸長弾性率（伸長回復率）および残留歪率Ｄ法でカットストリップ法を用い、繰り返し数は３回とし、２回伸長後の残留伸びにより計算する。また試験片幅は２５ｍｍとした。
【００３９】
上記のように構成した第１実施形態の下着は、例えば、以下のように使用される。図６Ａに示すように、外ポケット１３の内側を外側に反転させて、内側パネル１４が外側に出てくるようにする。図６Ｂに示すように、反転させた外ポケット１３の中にショーツ本体１を収容させていくと、図６Ｃに示すように、外ポケット１３の中にショーツ本体１の全てが収納される。図６Ｄに示すように、内側パネル１４を開口部１５から反転させて外ポケット１３に収容されたショーツ本体１を被覆すると、図６Ｅに示すように内側パネル１４と同じ形状のハート型に収納されたショーツ本体１が得られる。図６Ｅは表側であり、図６Ｆに示すように開口部１５は裏面側に現れることになる。
【００４０】
このように、第１実施形態の下着によれば、外ポケットを形成する外側パネルの内側に収納時の形状や大きさを決める内側パネルを接着しているので、着用時に現れる外ポケットの形状・大きさと、収納のための内ポケットの形状・大きさをそれぞれ自由に設計することができる。また、本体と外側パネルと内側パネルとを接着しているので、縫着部がなく肌当たりや着用感を良好にすることができる。さらに、下着本体を外ポケットに収容した後、内側パネルを反転させると、外ポケットに収容された下着本体が被覆されるので、収納後の下着を小さくすることができる。それだけでなく収納後は下着の形状ではなくなり、一見すると下着と判別できなくなるので他人の目に触れても心理的な抵抗感は軽減され、携帯性にもプライバシー性にも優れたものとなる。
【００４１】
次に、本発明の第２実施形態を図７〜図９に基づいて説明する。
【００４２】
第２実施形態に係る下着は、外側パネル２２の形状が略Ｖ字状で大きくなった点と、その外側パネル２２の接着位置がショーツ本体１ａの後面中央部６に変わった点が、第１実施形態と相違している。ショーツ本体１ａや外側パネル１２の内面に接着された内側パネル１４については、第１実施形態と同一であるから説明を省略し、第１実施形態との上記相違点について説明する。
【００４３】
外側パネル２２は、全体の形状が略Ｖ字状で両側縁が凸凹に形成されショーツ本体１ａの後面中央部６に接着されている。この外側パネル２２は上端縁２２ａを除いて両側縁２２ｂ,２２ｂが接着され、上部が開口する外ポケット１３ａになっている。
【００４４】
内側パネル１４は、ハート形状の下端を切除して開口部１５としてあり、その内面が内ポケット１６となり、両側端部１４ａ，１４ａを外側パネル２２の先端近傍部の両側部２２ｃ，２２ｃに合わせることにより、内側パネル１４は外側パネル２２と一体化されている。
【００４５】
このように構成した第２実施形態の下着は、第１実施形態で述べた使用例と同じように使用し、第１実施形態と同様の作用、効果を奏する。
【００４６】
以上、本発明に係る下着について各実施形態に基づいて説明したが、本発明はこれらに限定されるものではなく、本発明の目的を達成でき、且つ発明の要旨を逸脱しない範囲内で種々の設計変更が可能であり、それらも全て本発明の技術的範囲に包含されるものである。
【００４７】
例えば、図１０に示すように、外側パネル１２ａの形状を第１実施形態とは若干異なる略五角形状にして、内側パネル１４ｂの形状を略逆Ｕ字状にすることもできる。内側パネル１４ｂの形状を略逆Ｕ字状としてショーツ本体１ｂをこれに収容すると、図１１および図１２に示すような楕円形の収納形状が得られる。また、図１４に示すように、外側パネル２２の形状を略Ｖ字状として、内側パネル１４ｂの形状を略逆Ｕ字状にしてもよい。
【００４８】
また、上記各実施形態では、外側パネルの内面に内側パネルを接着することにしているが、外ポケットの中に内側パネルが位置するのであれば、ショーツ本体側に内側パネルを接着するように構成してもよい。なお、外ポケットという語感から外側パネルはショーツ本体の表面に配置されているように思われるかもしれないが、内ポケットの「内」に対する「外」という意味合いに過ぎないので、着用者の身体側、つまり、ショーツ本体の裏面に外側パネルや内側パネルが配置されていてもよい。
【００４９】
さらに、上記各実施形態では、外側パネルの上部を開口、つまり、上方へ向けて開口することにより外ポケットを形成し、内側パネルの下部を開口、つまり、下方へ向けて開口することにより内ポケットを形成している。これは着用時に外ポケットを紙幣や使い捨てカイロ等の携帯品入れとして機能させるためであるが、例えば、内ポケットを隠しポケットのような携帯品入れとして使用したい場合などには、内側パネルを上方へ向けて開口し、外側パネルを下方や別の方向へ向けて開口するようにしてもよい。
【産業上の利用可能性】
【００５０】
本発明は、ショーツや、ガードル、ブリーフなどの下着に好適であり、スパッツ、水着などの股部を有し、身体に密着させて着用する衣類全般にも適用できるものである。
【符号の説明】
【００５１】
１，１ａ，１ｂ，１ｃ  ショーツ本体
１１                  ポケット
１２，１２ａ，２２    外側パネル
１３                  外ポケット
１４，１４ｂ          内側パネル
１５                  開口部
１６                  内ポケット
【図１】
2016156102.tif 000003
【図２】
2016156102.tif 000004
【図３】
2016156102.tif 000005
【図４】
2016156102.tif 000006
【図５】
2016156102.tif 000007
【図６】
2016156102.tif 000008
【図７】
2016156102.tif 000009
【図８】
2016156102.tif 000010
【図９】
2016156102.tif 000011
【図１０】
2016156102.tif 000012
【図１１】
2016156102.tif 000013
【図１２】
2016156102.tif 000014
【図１３】
2016156102.tif 000015